(57)【要約】【課題】カメラ撮影時の使い勝手を向上することが可能な携帯端末装置を提供する。【解決手段】本発明にかかる携帯端末装置は、カメラと、筐体の表面及び裏面にカメラの撮影画像を表示可能な表示部を有し、前記カメラを設けた面と同じ側に配置した表示部に鏡像表示を行う。【選択図】  図３
2004187182.tif 000002
【特許請求の範囲】
【請求項１】
カメラと、筐体の表面及び裏面に前記カメラの撮影画像を表示可能な表示部と、前記カメラを設けた面と同じ側に配置した表示装置に鏡像表示を行うことを特徴とする携帯端末装置。
【請求項２】
筐体の表面に第１のカメラと第１の表示部とを有し、前記筐体の裏面に第２のカメラと第２の表示部とを有し、
前記第１のカメラまたは前記第２のカメラの撮影画像を選択し、前記第１の表示部と前記第２の表示部に表示するとき、選択された前記カメラと同じ側に配置した表示部に鏡像表示を行うことを特徴とする携帯端末装置。
【請求項３】
筐体の一部の固定された軸上で回転するカメラと、前記カメラの向きを検出する手段と、前記カメラの撮影画像を表示可能な表示部を前記筐体の表面及び裏面それぞれに備え、
前記カメラの向いている面と同じ側に配置した表示部に鏡像表示を行うことを特徴とする携帯端末装置。
【請求項４】
前記カメラの向きを検出する手段が表向きと判定する角度範囲と、裏向きと判定する角度範囲が異なることを特徴とする請求項３に記載の携帯端末装置。
【発明の詳細な説明】
【０００１】
【発明の属する技術分野】
本発明は、音声およびデータにより通信を行う携帯端末装置に関する。
【０００２】
【従来の技術】
折り畳み式で、閉じた状態でも時間やバッテリー残量，電界強度を示すサブディスプレイを備えた携帯電話がある。そして、このサブディスプレイに、カメラ画像のモニタリング表示を行う携帯電話が提案されている。（特許文献１参照）。
【０００３】
【特許文献１】
特開２００２−３００２３７号公報（第３−５頁、第３図）
【０００４】
【発明が解決しようとする課題】
上記従来技術では、被写体の人物を端末操作者がメインディスプレイを見ながら対面形式で撮影しようとする場合、被写体の人物はサブディスプレイを見ながらポーズをとることになる。この際に、サブディスプレイへの鏡像表示の配慮がなされていないため、ポーズをとり難いという問題がある。
【０００５】
例えば、被写体の人物がサブディスプレイ上のモニタリング画像を見て、その画像が右に寄りすぎているため、左に寄せたいときには、その人物は右に移動しなければならない。また、ポーズを取ると上記サブディスプレイの表示画像が左右反転しているため、ポーズを変えるのに違和感を覚えるという問題が発生する。
【０００６】
そこで、本発明は、カメラ撮影時の使い勝手を向上することができる携帯端末装置を提供することを目的とする。
【０００７】
【課題を解決するための手段】
本発明にかかる携帯端末装置は、カメラと、筐体の表面及び裏面にカメラの撮影画像を表示可能な表示部を有し、前記カメラを設けた面と同じ側に配置した表示部に鏡像表示を行う。
【０００８】
【発明の実施の形態】
図１は、第１の実施形態に係る携帯電話の構成を示すブロック図である。同図において、１はアンテナ、２は無線回路、３は符号復号処理回路、４はマイク、５はレシーバ、６はメインＬＣＤ（Ｌｉｑｕｉｄ  Ｃｒｙｓｔａｌ  Ｄｉｓｐｌａｙ）、６１はサブＬＣＤである。１０は主に通信処理を行うＢＢ（Ｂａｓｅ  Ｂａｎｄ）−ＣＰＵ（Ｃｅｎｔｒａｌ  Ｐｒｏｃｅｓｓｉｎｇ  Ｕｎｉｔ）、７はＢＢ−ＣＰＵのプログラムや一時的なデータを保持するＢＢ−メモリである。８はキー、９はサブＬＣＤと同じ側に配置し、静止画または動画を撮影する背面カメラ、１１はスピーカ、である。
【０００９】
アンテナ１は、空中を伝送されてきた電波を受信し、高周波電気信号に変換し、無線回路２に入力する。また、これとは逆に、無線回路２から出力された高周波電気信号を電波に変換して送信する。無線回路２は、ＢＢ−ＣＰＵ  １０の指示に基づき、アンテナ１で受信した高周波電気信号を復調し、符号復号処理回路３に入力する。また無線回路２は、符号復号処理回路３の出力信号に変調処理を施し、高周波電気信号に変換してアンテナ１に出力する。
【００１０】
符号復号処理回路３は、ＢＢ−ＣＰＵ１０の制御に従い、無線回路２の出力信号に復号処理を施し、音声データをレシーバ５に出力し、文字や画像データをＢＢ−ＣＰＵ１０に出力する。また、符号復号処理回路３は、マイク４から入力されたユーザの声などの音声や、ユーザがキー８を操作して編集した文字や画像データに符号化処理を施し、無線回路２を通じてアンテナ１から送信する。
【００１１】
ＢＢ−ＣＰＵ１０は、符号復号処理回路３、無線回路２及びアンテナ１を使用して着信待ちを行い、着信があった場合はスピーカ１１からアラーム等の着信音またはメロディを発してユーザに着信があったことを通知すると共に、発信元の電話番号または電子メールアドレスをメインＬＣＤ６またはサブＬＣＤ６１に表示する。そして、ユーザがキー８を操作することにより、通話または受信した電子メールを閲覧できるように符号復号処理回路３，無線回路２，メインＬＣＤ６を制御する。
【００１２】
また、ＢＢ−ＣＰＵ１０はユーザがキー８を操作して入力した電話番号や電子メールを液晶表示装置６に表示し、符号復号処理回路３，無線回路２を制御して発呼を行い、相手先との通話または電子メールの送受信を行う。
【００１３】
また、ＢＢ−ＣＰＵ１０は背面カメラ９から取り込んだ画像にＹＵＶ→ＲＧＢ（Ｒｅｄ  Ｇｒｅｅｎ  Ｂｌｕｅ）信号変換やリサイズ処理を施してメインＬＣＤ６及び、サブＬＣＤ６１に表示する。そして、撮影画像のモニタリング表示を行い、ユーザがキー８を操作して撮影または録画を開始した場合には、ユーザが設定した画素数、圧縮方式、圧縮率を基に圧縮処理を施し、メールに添付して送信したり、ＢＢ−メモリ７に保存する。ここで、ＹＵＶとは、輝度信号（Ｙ）と、輝度信号と赤色成分の差（Ｕ）、輝度信号と青色成分の差（Ｖ）の３つの情報で色を表す形式のことである。
【００１４】
図２は、ＢＢ−ＣＰＵ１０におけるサブＬＣＤの鏡像表示を行うための処理フローである。Ｓ２１において、カメラ撮影中かを判定し、Ｙｅｓの場合はＳ２２に移行し、メインＬＣＤ６には左右反転処理を行わず、サブＬＣＤ６１のみ左右反転処理を行う。また、カメラ画像を表示していない場合、すなわち、通常の待受けやメール，Ｗｅｂの閲覧を行っているときは、Ｓ２１においてＮｏと判定してＳ２２を実行することなく判定処理を終了する。上述したような処理をＢＢ−ＣＰＵ１０で行うことにより、カメラ画像表示時にサブＬＣＤ６１の表示画像を鏡像表示することが可能となる。
【００１５】
次に、本発明による携帯電話のカメラ画像表示時のメインＬＣＤ６とサブＬＣＤ６１の表示例を図３に示す。尚、図１と同一部分には同一符号を付し、重複する説明は省略する。
【００１６】
同図において、１２は主にメインＬＣＤ６とサブＬＣＤ６１が実装されている上側筐体、１３は主にキー８が実装されている下側筐体、１４は上記上側筐体１２と下側筐体１３の接合部、いわゆる、ヒンジであり、１５は被写体である。背面カメラ９はサブＬＣＤ６１側に配置されている。また、（ａ）は本携帯電話の操作者が対面に存在する被写体１５を撮影している場面を操作者側から見たときの被写体１５と、メインＬＣＤ６上の表示画像との左右関係を示す図である。（ｂ）は被写体１５側から見た時の被写体１５と、サブＬＣＤ６１上の表示画像との左右関係を示す図である。
【００１７】
図３（ａ）において、被写体１５とメインＬＣＤは鏡像反転を施すことなく表示する。これにより、例えば操作者がメインＬＣＤ６に表示されている被写体１５が左により過ぎている判断した場合には、携帯電話装置本体を左に移動させるか、あるいは、左に傾けることにより、メインＬＣＤ６上の所望する位置やポーズで容易に表示させることができる。例えば、図３（ｃ）のように左右非対象な飾りフレームを使用する場合に、それをメインＬＣＤに同時に表示させる場合でも、上述の位置調整により、飾りフレームによって被写体１５の顔が隠れてしまうのを容易に防ぐことができる。
【００１８】
一方、図３（ｂ）では被写体１５がサブＬＣＤを使って自分の写っている位置を確認することができる。この場合、サブＬＣＤ６１には鏡像表示したカメラ画像を表示しているため、あたかも、鏡を見るようにサブＬＣＤ６１に表示されている自分の位置が左により過ぎていると判断した場合には右に移動することにより、サブＬＣＤ６１上に被写体１５の所望する位置やポーズで容易に表示させることができる。
【００１９】
また、図３（ｂ）に示すように撮影している画像をサブＬＣＤ６１に表示させることにより、背面カメラ９を向けられている側の人が撮影内容を確認することができる。
【００２０】
ここで、画像の左右反転処理は、予めＢＢ−ＣＰＵ１０で左右反転させた画像を生成することにより行っても良いし、メインＬＣＤ６またはサブＬＣＤ６１が左右反転機能を内蔵している場合はＢＢ−ＣＰＵ１０の指示によりメインＬＣＤ６またはサブＬＣＤ６１で左右反転処理を施しても良い。
【００２１】
なお、メインＬＣＤ６及びサブＬＣＤ６１は液晶式の液晶表示装置を用いる場合の例について述べたが、これに限られるものでなく、有機ＥＬやプラズマ方式等の平面ディスプレイであっても良い。また、カメラはＣＣＤやＣＭＯＳ方式等を用いた撮像素子であれば使用できる。
【００２２】
図４は、第２実施形態に係る携帯電話の構成を示すブロック図である。図１と同一部分には同一符号を付し、重複する説明は省略する。
【００２３】
９１は正面カメラであり、上側筐体１２のメインＬＣＤ６側に配置している。また、１７は背面カメラ９の出力信号と正面カメラ９１の出力信号とを切り換えてＢＢ−ＣＰＵ１０に供給するセレクタ、１６は上記セレクタ１７の切換制御回路であり、これらを有する点が、上述した第１の実施形態と異なる。
【００２４】
図５は、ＢＢ−ＣＰＵ１０での処理フローを示したものである。Ｓ５１において、カメラ撮影中かを判定し、Ｙｅｓの場合はＳ５２に移行し、切換制御回路１６の出力を判定する。例えば、切換制御回路１６の出力が”１”の時に背面カメラ９の出力を選択するものとすると、Ｓ５２の判定において、切換制御回路１６の出力が”１”の時はＳ５３に移行し、メインＬＣＤ６は非鏡像表示し、サブＬＣＤ６１は鏡像表示を行う。
【００２５】
また、Ｓ５２において、切換制御回路１６の出力が”０”の時はＳ５４に移行し、メインＬＣＤ６は鏡像表示，サブＬＣＤ６１は非鏡像表示を行う。Ｓ５１において、カメラモードでないと判定したときはＳ５２，Ｓ５３，Ｓ５４の処理を行わず終了する。
【００２６】
上述したような処理をＢＢ−ＣＰＵ１０で行うことにより、背面カメラ９の出力が選択されている場合にはサブＬＣＤに鏡像表示を行い、正面カメラ９１の出力が選択されている場合にはメインＬＣＤに鏡像表示を行う。
【００２７】
図６に、背面カメラ９が選択されている場合のメインＬＣＤ６とサブＬＣＤ６１のカメラ画像表示例を示す。尚、図４と同一部分には同一符号を付し、重複する説明は省略する。図６（ａ）は本携帯電話の操作者が対面に存在する被写体１５を撮影している場面を操作者側から見たときの被写体１５と、メインＬＣＤ６上の表示画像との左右関係を示す図である。図６（ｂ）は被写体１５側から見た時の被写体１５とサブＬＣＤ６１上の表示画像との左右関係を示す図である。
【００２８】
図６（ａ）において、被写体１５とメインＬＣＤ６は鏡像反転することなく表示する。これにより、例えば操作者がメインＬＣＤ６に表示されている被写体１５が左により過ぎている判断した場合には携帯電話装置本体を左に移動させるか、あるいは、左に傾けることにより、メインＬＣＤ６上の所望する位置に表示させることができる。
【００２９】
一方、図６（ｂ）では被写体１５がサブＬＣＤを使って自分の写っている位置を確認することができる。この場合、サブＬＣＤ６１には鏡像反転したカメラ撮影画像を表示することにより、あたかも、鏡を見ているようにサブＬＣＤ６１上に表示されている自分の位置が左により過ぎている判断した場合には右に移動することによりサブＬＣＤ６１上に被写体１５の所望する位置やポーズで容易に表示させることができる。
【００３０】
次に、図７に、正面カメラ９１が選択されている場合のメインＬＣＤ６とサブＬＣＤ６１のカメラ画像表示例を図７に示す。図７（ａ）は、メインＬＣＤ６側に存在する被写体１５を撮影している場面をメインＬＣＤ６側から見たときの被写体１５とメインＬＣＤ６上の表示画像との左右関係を示す図である。（ｂ）はサブＬＣＤ６１側から見た時の被写体１５とサブＬＣＤ６１上の表示画像との左右関係を示す図である。
【００３１】
図７（ａ）において、被写体１５とメインＬＣＤ６は鏡像反転の関係で表示する。これにより、あたかも、鏡を見るようにメインＬＣＤ６に表示されている自分の位置が左により過ぎている判断した場合には被写体１５が右に移動することによりメインＬＣＤ６上に被写体１５が所望する位置やポーズで容易に表示させることができる。
【００３２】
また、図７（ｂ）に示すように撮影している画像をサブＬＣＤ６１に表示させることにより、背面カメラ９を向けられている側の人が撮影内容を確認することができる。
【００３３】
図８は、第３実施形態に係る携帯電話の構成を示すブロック図である。図１と同一部分には同一符号を付し、重複する説明は省略する。本実施形態は、図１１または図１２に示すように、回転するヒンジ１４部に回転カメラ９２を実装している。また、図９に示すように本回転式のヒンジ１４はカメラの向きを検出するための回転検出スイッチ１８を有している。
【００３４】
以下、回転検出スイッチ１８により回転カメラ９２の向きを検出する方法を図９を用いて説明する。図９において、１４１はヒンジ１４に設けたくぼみ，１８１は上記くぼみ１４１の有無によって回転検出スイッチ１８を接続／開放するための可動部材である。
【００３５】
同図において、（ａ）は回転カメラ９２がメインＬＣＤ６側を向いている場合の例であり、矢印の方向に１８０°回転させた例が（ｂ）である。図９（ａ）に示すように回転カメラ９２がメインＬＣＤ６側を向いている場合、ヒンジ１４に設けたくぼみ１４１に可動部材１８１が入り込むため、可動部材１８１がヒンジ１４の方向に移動するため、回転検出スイッチ１８が閉じる。回転検出スイッチ１８の片方の端子をＧＮＤに接続しておくことにより、回転検出スイッチ１８の出力は”０”となる。
【００３６】
一方、図９（ｂ）に示すように回転カメラ９２を１８０°回転させた場合、先ほどのヒンジ１４に設けたくぼみ１４１が図中の上側に移動し、可動部材１８１が押し戻されるため、可動部材１８１がヒンジ１４と反対側の方向に移動するため、回転検出スイッチ１８が開く。回転検出スイッチ１８のＧＮＤにされていない方の端子を例えば電源電圧にプルアップしておくことにより、回転検出スイッチ１８の出力は”１”となる。この回転検出スイッチ１８の出力をＢＢ−ＣＰＵ１０に供給することにより、回転カメラ９２の向きを検出することが可能となる。
【００３７】
本実施形態のＢＢ−ＣＰＵ１０での処理フローを図１０に示し、以下説明する。
Ｓ１０１において、カメラ撮影中かを判定し、Ｙｅｓの場合はＳ１０２に移行し、回転検出スイッチ１８の出力を判定する。例えば、回転検出スイッチ１８の出力が”１”の時に回転カメラ９２がサブＬＣＤ側を向いているものと仮定すると、Ｓ１０２の判定において、回転検出スイッチ１８の出力が”１”の時はＳ１０３に移行し、メインＬＣＤ６は非鏡像表示し、サブＬＣＤ６１は鏡像表示を行う。
【００３８】
また、Ｓ１０２において、回転検出スイッチ１８の出力が”０”の時はＳ１０４に移行し、メインＬＣＤ６は鏡像表示し、サブＬＣＤ６１は非鏡像表示を行う。また、Ｓ１０１において、カメラモードでないと判定したときはＳ１０２，Ｓ１０３，Ｓ１０４の処理を行わず終了する。
【００３９】
上述したような処理をＢＢ−ＣＰＵ１０で行うことにより、回転検出スイッチ１８の出力が”１”すなわち、回転カメラ９２がサブＬＣＤ６１側を向いている時はサブＬＣＤ６１に鏡像表示を行い、回転カメラ９２がメインＬＣＤ６側を向いている場合にはメインＬＣＤ６に鏡像表示を行うことができる。
【００４０】
以下、回転カメラ９２がサブＬＣＤ６１側を向いている場合のメインＬＣＤ６とサブＬＣＤ６１のカメラ画像表示例を図１１に示す。尚、図３と同一部分には同一符号を付し、重複する説明は省略する。
【００４１】
同図において、（ａ）は本携帯電話の操作者が対面に存在する被写体１５を撮影している場面を操作者側から見たときの被写体１５とメインＬＣＤ６上の表示画像との左右関係を示す図である。（ｂ）は被写体１５側から見た時の被写体１５とサブＬＣＤ６１上の表示画像との左右関係を示す図である。
【００４２】
図１１（ａ）において、被写体１５とメインＬＣＤ６は鏡像反転処理を施さずに表示する。これにより、例えば操作者がメインＬＣＤ６に表示されている被写体１５が左により過ぎている判断した場合には携帯電話装置本体を左に移動させるか、あるいは、左に傾けることにより、メインＬＣＤ６上に被写体１５の所望する位置やポーズで容易に表示させることができる。
【００４３】
一方、図１１（ｂ）では被写体１５がサブＬＣＤ６１を使って自分の写っている位置を確認することができる。この場合、サブＬＣＤ６１には鏡像反転したカメラ撮影画像を表示することにより、あたかも、鏡を見るようにサブＬＣＤ６１に表示されている自分の位置が左により過ぎている判断した場合には右に移動することによりサブＬＣＤ６１上の所望する位置やポーズで容易に表示させることができる。
【００４４】
次に、回転カメラ９２がメインＬＣＤ６側を向いている場合のカメラ画像表示時のメインＬＣＤ６とサブＬＣＤ６１の表示例を図１２に示す。同図において、（ａ）は本携帯電話のメインＬＣＤ６側に存在する被写体１５を撮影している場面をメインＬＣＤ６側から見たときの被写体１５とメインＬＣＤ６上の表示画像との左右関係を示す図である。（ｂ）はサブＬＣＤ６１側から見た時の被写体１５とサブＬＣＤ６１上の表示画像との左右関係を示す図である。
【００４５】
図１２（ａ）において、被写体１５とメインＬＣＤ６は鏡像反転の関係で表示する。これにより、あたかも、鏡を見るようにメインＬＣＤ６に表示されている自分の位置が左により過ぎている判断した場合には被写体１５が右に移動することによりメインＬＣＤ６上の所望する位置やポーズで容易に表示させることができる。また、図１２（ｂ）に示すように回転カメラ９２はメインＬＣＤ６を向いているが、撮影している画像をサブＬＣＤ６１に表示させている。
【００４６】
図１３は、ヒンジ１４の側面図の一例である。同図において、θ１はヒンジ１４部のくぼみ１４１を設けた角度、θ２はくぼみ１４１を設けていない角度を示している。携帯電話の上側筐体１２と下側筐体１３は人間の耳から口への丸みに合わせ、くの時型になるよう設計されている。従って、本実施形態では回転カメラ９２がメインＬＣＤを向いていると検出する角度を制限し、θ１＜θ２となるように設定する。しかし、これは単なる例に過ぎず、携帯電話の形状面の都合によってθ１＝θ２，θ１＞θ２に設定することができる。
【００４７】
図１４は、第４実施形態に係る携帯電話の構成を示すブロック図である。同図において、１０１はＬＣＤコントローラであり、ＢＢ−ＣＰＵ１０からＢＢ−ＣＰＵバスを通じて供給された画像情報を基にメインＬＣＤ６及びサブＬＣＤ６１に供給する画像信号及び、タイミング信号を生成し、それらの液晶表示装置を駆動し、画像表示を行う。
【００４８】
また、ＬＣＤコントローラ１０１は回転カメラ９２の出力信号を取り込むインターフェースと信号処理機能を備え、回転カメラ９２の撮影画像の拡大、または縮小や画像フォーマット（ＹＵＶ→ＲＧＢ）変換，画像データの圧縮／伸張処理にも対応している。さらに、上述の実施形態で説明した鏡像表示の処理を本ＬＣＤコントローラ１０１側で実現する。
【００４９】
本実施形態の構成によれば、カメラの画像処理の部分をＬＣＤコントローラ１０１で行うことにより、ＢＢ−ＣＰＵ１０の負担を低減することができ、着信率や通話品質の向上が可能である。
【００５０】
このようなＬＣＤコントローラ１０１は、ＬＣＤ駆動ＩＣの内部に実装しても良いし、外付けＬＳＩとしてＬＣＤのＦＰＣ（フレキシブル・プリント・サーキット）や、携帯電話の基板上に実装しても良い。
【００５１】
図１５は、第５実施形態に係る携帯電話の構成を示すブロック図である。同図において、１０２は主に画像や音楽等のアプリケーションの処理を行うＡＰ−ＣＰＵであり、８１はＡＰ−ＣＰＵ１０２のプログラムや一次的なデータを保持するＡＰ−メモリであり、ＢＢ−ＣＰＵ１０から第１のＡＰ−ＣＰＵバスを通じて供給された画像情報を基にメインＬＣＤ６及びサブＬＣＤ６１に画像表示を行う。
【００５２】
また、このＡＰ−ＣＰＵ  １０２は回転カメラ９２の出力信号を取り込むインターフェースと信号処理機能を備え、回転カメラ９２の撮影画像の拡大または縮小や画像フォーマット（ＹＵＶ→ＲＧＢ）変換，画像データの圧縮／伸張処理にも対応している。さらに、上述の実施形態で説明した鏡像表示の処理を実現する。
【００５３】
本実施形態の構成によれば、カメラの画像処理を始め、画像処理の部分をＡＰ−ＣＰＵ  １０２で行うことにより、対応画像サイズの大型化，リフレッシュレートの向上等、画像処理性能を格段に向上しながらＢＢ−ＣＰＵ１０の負担を低減することができる。
【００５４】
なお、本発明の適用は、携帯電話に限定するものではなく、ＰＤＡ（Ｐｅｒｓｏｎａｌ  Ｄｉｇｉｔａｌ  Ａｓｓｉｓｔａｎｃｅ）などカメラを備えた端末に適用しても良い。
【００５５】
【発明の効果】
本発明によれば、カメラ撮影時の使い勝手を向上することが可能な携帯端末装置を提供することができる。
【図面の簡単な説明】
【図１】第１の実施形態にかかる端末装置の構成を示す図である。
【図２】第１の実施形態にかかる端末装置のＢＢ−ＣＰＵでの処理手順を示す図である。
【図３】第１の実施形態にかかる端末装置の被写体と液晶表示装置での表示例を示す図である。
【図４】第２の実施形態にかかる端末装置の構成を示す図である。
【図５】第２の実施形態にかかる端末装置のＢＢ−ＣＰＵでの処理手順を示す図である。
【図６】第２の実施形態にかかる端末装置の被写体と液晶表示装置での表示例を示す図である。
【図７】第２の実施形態にかかる端末装置の被写体と液晶表示装置での表示例を示す図である。
【図８】第３の実施形態にかかる端末装置の構成を示す図である。
【図９】第３の実施形態にかかる端末装置の回転カメラの向きを検出スイッチの構成例を示す図である。
【図１０】第３の実施形態にかかる端末装置のＢＢ−ＣＰＵでの処理手順を示す図である。
【図１１】第３の実施形態にかかる端末装置の被写体と液晶表示装置での表示例を示す図である。
【図１２】第３の実施形態にかかる端末装置の被写体と液晶表示装置での表示例を示す図である。
【図１３】第３の実施形態にかかる端末装置のカメラの回転検出スイッチの構成例を示す図である。
【図１４】第４の実施形態にかかる端末装置の構成を示す図である。
【図１５】第５の実施形態にかかる端末装置の構成を示す図である。
【符号の説明】
１…アンテナ、２…無線回路、３…符号復号処理回路、４…マイク、５…レシーバ、６…メインＬＣＤ、６１…サブＬＣＤ、７…ＢＢ−メモリ、７１…ＡＰ−メモリ、８…キー入力装置、９…背面カメラ、９１…正面カメラ、９２…回転カメラ、１０…ＢＢ−ＣＰＵ、１０１…ＬＣＤコントローラ、１０２…ＡＰ−ＣＰＵ、１１…スピーカ、１２…上側筐体、１３…下側筐体、１４…ヒンジ、１４１…くぼみ、１５…被写体、１６…切換制御回路、１７…セレクタ、１８…回転検出スイッチ
【図１】
2004187182.tif 000003
【図２】
2004187182.tif 000004
【図３】
2004187182.tif 000005
【図４】
2004187182.tif 000006
【図５】
2004187182.tif 000007
【図６】
2004187182.tif 000008
【図７】
2004187182.tif 000009
【図８】
2004187182.tif 000010
【図９】
2004187182.tif 000011
【図１０】
2004187182.tif 000012
【図１１】
2004187182.tif 000013
【図１２】
2004187182.tif 000014
【図１３】
2004187182.tif 000015
【図１４】
2004187182.tif 000016
【図１５】
2004187182.tif 000017